【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
コンピュータのウェブブラウザの閲覧履歴を表示するための方法であって、
前記コンピュータによって、ウェブページのサムネイル画像および前記ウェブページと関連付けられたグループを含む前記ウェブブラウザによる前記ウェブページの各訪問に関する履歴情報を記録することと、
前記コンピュータによって、ユーザ要求に応答して、第１の軸に沿って１つまたはより多くのグループを有する２次元閲覧履歴を表示することと、各グループは、そのグループと関連付けられた前記ウェブページの前記サムネイル画像を、前記グループに隣接して、表示するために第２の直交軸に沿って拡張可能である、
を備える、方法。
【請求項２】
少なくとも１つのウェブページのユニバーサルリソースインジケータ（ＵＲＩ）は、別のウェブページとは異なるトップレベルドメインを有する、請求項１に記載の方法。
【請求項３】
ウェブページの前記サムネイル画像を選択することと、
前記選択することに応答して前記ウェブページに導く閲覧経路を表示することと、
を備える、請求項１に記載の方法。
【請求項４】
前記グループは、グループと関連付けられた最も最近訪問されたウェブページが前記ウェブブラウザによって訪問された時間の順序で前記第１の軸に沿って整列される、請求項１に記載の方法。
【請求項５】
前記サムネイル画像は、サムネイル画像に対応する各ウェブページが前記ウェブブラウザによって訪問された時間の順序で前記第２の軸に沿って整列される、請求項１に記載の方法。
【請求項６】
前記第２の軸は時間を表し、
各サムネイル画像は、前記サムネイル画像に対応する前記ウェブページが前記ウェブブラウザによって訪問された時間で前記第２の軸に沿って位置付けられる、請求項１に記載の方法。
【請求項７】
前記サムネイル画像は、前記第２の軸に沿って直線的に配置される、請求項１に記載の方法。
【請求項８】
ウェブページのサムネイル画像および前記ウェブページと関連付けられたグループを含むウェブブラウザによる前記ウェブページの各訪問に関する履歴情報を記録するように構成された履歴レコーダと、
ユーザ要求に応答して、第１の軸に沿って１つまたはより多くのグループを有する２次元閲覧履歴を表示するように構成された履歴マネジャと、各グループは、そのグループと関連付けられた前記ウェブページの前記サムネイル画像を、前記グループに隣接して、表示するために第２の直交軸に沿って拡張可能である、
を含むウェブブラウザを有するコントローラ、
を備えるウェブ閲覧装置。
【請求項９】
少なくとも１つのウェブページのユニバーサルリソースインジケータ（ＵＲＩ）は、別のウェブページとは異なるトップレベルドメインを有する、請求項８に記載の装置。
【請求項１０】
前記コントローラは、ウェブページのサムネイル画像の選択を受信するようにさらに構成され、
前記履歴マネジャは、前記選択に応答して前記ウェブページに導く閲覧経路を表示するようにさらに構成される、請求項８に記載の装置。
【請求項１１】
前記閲覧経路は、前記選択されたウェブページに到達するために訪問されたウェブページのシーケンスを備える、請求項１０に記載の方法。
【請求項１２】
前記閲覧経路は、
前記シーケンスに備えられた前記ウェブページの前記サムネイル画像間の視覚的接続
をさらに備える、請求項１１に記載の方法。
【請求項１３】
前記履歴マネジャは、前記選択に応答して、前記シーケンスに備えられていない各ウェブページに対応する各サムネイル画像を視覚的にデエンファシスするようにさらに構成される、請求項１１に記載の方法。
【請求項１４】
実行可能なプログラムを記憶した非一時的なコンピュータ可読記憶媒体であって、前記プログラムは、請求項１乃至７のいずれか一項に記載の方法を実行するようにプロセッサに命令する、非一時的なコンピュータ可読記憶媒体。
【手続補正２】
【補正対象書類名】明細書
【補正対象項目名】００７０
【補正方法】変更
【補正の内容】
【００７０】
[0084]  いくつかの特定の例が説明および図示されてきたが、本開示は、説明および図示されたパーツの特定の方法、形態、または配置に限定されない。本説明は、ここで説明された進歩性を有し非自明な要素の組み合わせを含み、これらの要素の任意の進歩性を有し非自明な組み合わせのために特許請求の範囲がここにまたは後の出願で提示され得ることが理解されるべきである。先述の例は、例示にすぎず、どの特徴または要素も、ここにまたは後の出願で特許請求され得る全ての可能性のある組み合わせに対して必要不可欠ではない。特定されない限り、方法クレームのステップは特定される順序で実行される必要はない。同様に、図または番号（例えば、（１）、（２）等）におけるブロックは、特定の順序で進むべきステップとして解釈されるべきではない。さらなるブロック／ステップが追加され、いくつかのブロック／ステップが削除され、またはブロック／ステップの順序が変えられることができ、それでも開示された例の範囲内にある。さらに、異なる図面内で説明された方法またはステップが、他の図面における方法またはステップに加えられ、または交換され得る。さらに、特定の数字のデータ値（例えば、特定の量、数、カテゴリ等）、または他の特定の情報は、例を説明するための例示として解釈されるべきである。そのような特定の情報は、例を限定するために提供されない。本開示は、上述した実現に限定されないが、代わりに均等物のそれらの完全な範囲を考慮して添付の特許請求の範囲によって定義される。請求項がそれらの均等物の「１つの（a）」または「第１の（a first）」要素を記載する場合、そのような請求項は、２つまたはそれ以上のそのような要素を必要とするまたは除外することなく、１つまたはより多くのそのような要素の組み込みを含むことが理解されるべきである。
以下に本願の出願当初の特許請求の範囲に記載された発明を付記する。
［Ｃ１］
コンピュータのウェブブラウザの閲覧履歴を表示するための方法であって、
前記コンピュータによって、ページのサムネイル画像および前記ページと関連付けられたグループを含む前記ブラウザによってブラウズされる各ウェブページに関する履歴情報を記録することと、
前記コンピュータによって、ユーザ要求に応答して、第１の軸に沿って１つまたはより多くのグループを有する２次元閲覧履歴を表示することと、各グループは、そのグループと関連付けられた各ブラウズされたウェブページのサムネイル画像を、前記グループに隣接して、表示するために第２の直交軸に沿って拡張可能である、
を備える、方法。
［Ｃ２］
前記ブラウズされたウェブページの少なくとも１つのＵＲＩは、前記ブラウズされたウェブページの別のものとは異なるトップレベルドメインを有する、Ｃ１に記載の方法。
［Ｃ３］
前記表示されたウェブページの１つの前記サムネイル画像を選択することと、
前記選択することに応答して前記選択されたウェブページに導く閲覧経路を表示することと、
を備える、Ｃ１に記載の方法。
［Ｃ４］
前記グループは、前記グループと関連付けられた最も最近ブラウズされたウェブページが前記ウェブブラウザによってブラウズされた時間の順序で前記第１の軸に沿って整列される、Ｃ１に記載の方法。
［Ｃ５］
前記サムネイル画像は、前記サムネイル画像に対応する前記ウェブページが前記ウェブブラウザによってブラウズされた時間の順序で前記第２の軸に沿って整列される、Ｃ１に記載の方法。
［Ｃ６］
前記第２の軸は時間を表し、
各サムネイル画像は、前記サムネイル画像に対応する前記ウェブページが前記ウェブブラウザによってブラウズされた時間で前記第２の軸に沿って位置付けられる、Ｃ１に記載の方法。
［Ｃ７］
前記サムネイル画像は、前記第２の軸に沿って直線的に配置され、各サムネイル画像は、前記ブラウザによる前記関連付けられたウェブページの別個のアクセスに対応する、Ｃ１に記載の方法。
［Ｃ８］
前記サムネイル画像は、前記グループに関連付けられた任意のウェブページの前記サムネイル画像が前記ブラウザによる前記ウェブページの別個のアクセスの数にかかわらず一度表示されるように、前記第２の軸に沿ってツリー構造で配置される、Ｃ１に記載の方法。
［Ｃ９］
選択されたウェブページへの閲覧経路を表示することを備え、前記経路は前記経路の各ウェブページへの各別個のアクセスのためのセグメントを含む、Ｃ８に記載の方法。
［Ｃ１０］
選択されたウェブページへの閲覧経路を表示することを備え、前記経路は前記選択されたウェブページの前記ツリー構造における先祖以外のセグメントを省略する、Ｃ８に記載の方法。
［Ｃ１１］
ブラウザによってブラウズされたウェブページのシーケンスの各々について、前記ページのサムネイル画像および前記ページが関連付けられたグループを含む履歴データを、データ記憶に保存するように構成された履歴レコーダと、
入力に応答して、第１の軸に沿う少なくとも１つのグループおよび第２の直交軸に沿ってそのグループと関連付けられた各ページの前記サムネイル画像を表示するように構成された履歴マネジャと、
を含むウェブブラウザを有するコントローラ、
を備えるウェブ閲覧装置。
［Ｃ１２］
表示されたサムネイル画像は、別のサムネイル画像が表示される別のウェブページの前記ＵＲＩとは異なるトップレベルドメインを有するＵＲＩを有するウェブページに対応する、Ｃ１１に記載の装置。
［Ｃ１３］
前記コントローラは、前記表示されたウェブページの１つの前記サムネイル画像の選択を受信するようにさらに構成され、
前記履歴マネジャは、前記選択に応答して、前記選択されたウェブページに導く閲覧経路を表示するようにさらに構成され、前記経路は、前記選択されたウェブページに到達するために前記ブラウザによってトラバースされたウェブページの前記シーケンスを備える、
Ｃ１１に記載の装置。
［Ｃ１４］
前記表示された閲覧経路は、
前記閲覧経路における前記ウェブページの各々の前記サムネイル画像間の視覚的接続
をさらに備える、Ｃ１３に記載の方法。
［Ｃ１５］
前記履歴マネジャは、前記選択に応答して、前記閲覧経路に含まれていない各表示されたウェブページの前記サムネイル画像を視覚的にデエンファシスするようにさらに構成される、Ｃ１３に記載の方法。
［Ｃ１６］
実行可能なプログラムを記憶した非一時的なコンピュータ可読記憶媒体であって、ここにおいて、前記プログラムは、
ウェブページがウェブブラウザによってアクセスされると、前記ページのサムネイル画像、および前記ページが関連付けられたグループを含む履歴データを記録し、
第１の軸に沿って少なくとも１つのグループおよび第２の直交軸に沿ってそのグループと関連付けられた各ページの前記サムネイル画像を表示するような要求に際して前記履歴データを処理する、
ようにプロセッサに命令する、
非一時的なコンピュータ可読記憶媒体。
［Ｃ１７］
所与のウェブページに関する前記履歴データは、
前記ウェブページのＵＲＩ、
前記所与のウェブページの直前の前記ウェブブラウザによってブラウズされた先行するウェブページ、
前記所与のウェブページの直後に前記ウェブブラウザによってブラウズされた後続のウェブページ、
に前記ウェブページがブラウズされた日付および時間、
をさらに備える、Ｃ１６に記載の媒体。
［Ｃ１８］
前記プログラムは、
前記表示されたウェブページの１つの前記サムネイル画像の選択を受信し、
前記選択に応答して、前記選択されたウェブページにブラウズするように前記プロセッサにさらに命令する、Ｃ１６に記載の媒体。
［Ｃ１９］
各グループは、前記ウェブブラウザの異なるウィンドウまたは前記ウェブブラウザの異なるタブに対応する、Ｃ１６に記載の媒体。
［Ｃ２０］
各グループは、異なるトップレベルドメインに対応する、Ｃ１６に記載の媒体。